(57)【要約】  航空機乗客用座席囲いであって、乗客用スイートを画定し、座席囲いの壁を形成する少なくとも１つの構造パネルと、少なくとも１つの構造パネルに取り付けられた３次元印刷成形品とを含み、３次元印刷成形品は、少なくとも１つの構造パネルの外面に適用された装飾成形品である、航空機乗客用座席囲い。
2016539849.tif 000002
【特許請求の範囲】
【請求項１】
乗客用スイートを画定する航空機乗客用座席囲いであって、
前記座席囲いの壁を形成する少なくとも１つの構造パネルと、
前記少なくとも１つの構造パネルに取り付けられた３次元印刷成形品と、
を備える、航空機乗客用座席囲い。
【請求項２】
前記少なくとも１つの構造パネルは、離間した前部構造パネルおよび後部構造パネルを備え、
前記前部構造パネルは、乗客用座席を収容するためのくぼみを画定し、
前記後部構造パネルは、高い位置の足乗せ台を収容するためのくぼみを画定する、請求項１に記載の航空機乗客用座席囲い。
【請求項３】
前記前部構造パネルは窓を備え、
前記３次元印刷成形品は前記窓を枠付けする、請求項２に記載の航空機乗客用座席囲い。
【請求項４】
前記３次元印刷成形品は、ドア枠であり、
離間した前記前部構造パネルと前記後部構造パネルとの間に画定された前記乗客用スイートの入口は、前記ドア枠で枠付けされている、請求項２に記載の航空機乗客用座席囲い。
【請求項５】
前記３次元印刷成形品は、
前記前部構造パネルおよび前記後部構造パネルの上縁部に沿って取り付けられたキャッピングであり、
前記３次元印刷成形品の隣接するセクションが重なり、
前記隣接するセクションを共に取り付けるための締結具を受けるための、前記３次元印刷成形品を貫通する開口部を含む、請求項２に記載の航空機乗客用座席囲い。
【請求項６】
前記３次元印刷成形品は、前記少なくとも１つの構造パネルの上縁部に被さる、請求項１に記載の航空機乗客用座席囲い。
【請求項７】
前記少なくとも１つの構造パネルは、航空機の床に取り付けるように構成されたベースに固定される、請求項１に記載の航空機乗客用スイート囲い。
【請求項８】
前記少なくとも１つの構造パネルに適用される仕上面を挿入および保持するための間隙が、前記３次元印刷成形品の一部と、下地の前記少なくとも１つの構造パネルと、の間に設けられる、請求項１に記載の航空機乗客用座席囲い。
【請求項９】
前記航空機乗客用座席囲いは、前記少なくとも１つの構造パネルの面に固定された少なくとも１つの支持梁をさらに備える、請求項１に記載の航空機乗客用座席囲い。
【請求項１０】
前記航空機乗客用座席囲いは、
前記少なくとも１つの構造パネルが取り付けられ、航空機の床に取り付けるように構成されたベースと、
前記ベースに固定された乗客用座席と、
前記少なくとも１つの構造パネルによって前記ベースより高い位置に支持された足乗せ台と、をさらに備える、請求項１に記載の航空機乗客用座席囲い。
【請求項１１】
前記３次元印刷成形品は、前記少なくとも１つの構造パネルの外面に適用された装飾成形品である、請求項１に記載の航空機乗客用座席囲い。
【発明の詳細な説明】
【技術分野】
【０００１】
本発明は、概して、航空機内部で使用するための装備品、より詳細には、下地構造パネルに適用される３次元（３Ｄ）印刷部品を使用して製造された航空機座席囲い、仕切りおよびパネルに関する。
【背景技術】
【０００２】
商業旅客機内部は、典型的には異なる座席クラスに分けられる。エコノミークラスは、座席間のプライバシーがほとんどまたは全くない複数列の隣接する座席を含み得、一方、ビジネスクラスおよびプレミアムクラスは、完全なプライバシーおよび乗客快適性を提供するように構成された個々の乗客用スイートを含み得る。個々のスイートは、装備品、テーブル、足乗せ台などのための支持面と同様に、プライバシー仕切りとして機能する座席囲いを使用して画定および分離され得る。したがって、座席囲いは、重量物を支持することができるだけでなく、要求されるＧ力認定も満たさなければならない。
【０００３】
従来の座席囲い、仕切りおよびパネルは典型的に、成形部品および構造パネルを使用して製造される。成形部品は、射出成形、熱成形などされてもよく、したがって、新しい部品のそれぞれに対して新しい金型を作製する必要がある。金型は、材料費の点から高価であり、長いリードタイムを必要とするため、製造業者は、仕切りに実質的な装飾またはカスタマイズを加えることを好まず、かつ、既存の成形部品に変更を加えることを好まない。
【０００４】
３Ｄ印刷および追加的な製造の発明を用いれば、製造業者は現在、金型を必要とせずにデジタルモデルから３Ｄ立体物を作ることができ、そのためリードタイムおよびコストが著しく削減され、製造業者は、より創造的に設計およびカスタマイズを行うことができる。
【０００５】
そのため、航空機内部備付品を製造する際に、特に汎用部品およびカスタマイズ部品の両方を含む装備品を設計および構成する際に、３Ｄ印刷技術を採用することが望ましいであろう。
【発明の概要】
【発明が解決しようとする課題】
【０００６】
したがって、本発明の目的は、少なくとも１つの３Ｄ印刷部品を含み、かつ、航空機内部で使用するように構成された装備品を提供することである。
【０００７】
本発明の別の目的は、構造パネル、および構造パネルに適用された３Ｄ印刷装飾成形品を含む航空機内部装備品を提供することである。
【０００８】
本発明のさらなる目的は、スイートの壁を画定するように配置された構造パネルと、パネルを装飾するためにパネルに適用された３Ｄ印刷装飾成形品と、を含む乗客用スイート仕切りを提供することである。
【０００９】
本発明の別の目的は、座席囲みの壁を形成するように配置された複数の構造パネルを含む座席囲みであって、壁のうちの少なくともいくつかが、隣接する通路または乗客用スイートにアクセスするために離間し、複数の構造パネルのうちの少なくとも１つが３Ｄ印刷装飾成形品を含む座席囲みを提供することである。
【課題を解決するための手段】
【００１０】
前述又は他の目的及び利点を達成するために、最初の実施例では、本発明は、乗客用スイートを画定する航空機乗客用座席囲いであって、前記座席囲いの壁を形成する少なくとも１つの構造パネルと、前記少なくとも１つの構造パネルに取り付けられた３次元印刷成形品と、を備える、航空機乗客用座席囲いを提供する。
【００１１】
他の態様では、前記少なくとも１つの構造パネルは、離間した前部構造パネルおよび後部構造パネルを備えていてもよく、前記前部構造パネルは、乗客用座席を収容するためのくぼみを画定していてもよく、前記後部構造パネルは、高い位置の足乗せ台を収容するためのくぼみを画定していてもよい。
【００１２】
他の態様では、前記前部構造パネルは窓を備えていてもよく、前記３次元印刷成形品は前記窓を枠付けしていてもよい。
【００１３】
他の態様では、前記３次元印刷成形品は、ドア枠であってもよく、離間した前記前部構造パネルと前記後部構造パネルとの間に画定された前記乗客用スイートの入口は、前記ドア枠で枠付けされていてもよい。
【００１４】
他の態様では、前記３次元印刷成形品は、前記前部構造パネルおよび前記後部構造パネルの上縁部に沿って取り付けられたキャッピングであってもよく、前記３次元印刷成形品の隣接するセクションが重なっていてもよく、前記隣接するセクションを共に取り付けるための締結具を受けるための、前記３次元印刷成形品を貫通する開口部を含んでいてもよい。
【００１５】
他の態様では、前記３次元印刷成形品は、前記少なくとも１つの構造パネルの上縁部に被さっていてもよい。
【００１６】
他の態様では、前記少なくとも１つの構造パネルは、航空機の床に取り付けるように構成されたベースに固定されていてもよい。
【００１７】
他の態様では、前記少なくとも１つの構造パネルに適用される仕上面を挿入および保持するための間隙が、前記３次元印刷成形品の一部と、下地の前記少なくとも１つの構造パネルと、の間に設けられていてもよい。
【００１８】
他の態様では、前記座席囲いは、前記少なくとも１つの構造パネルの面に固定された少なくとも１つの支持梁をさらに備えていてもよい。
【００１９】
他の態様では、前記航空機乗客用座席囲いは、前記少なくとも１つの構造パネルが取り付けられ、航空機の床に取り付けるように構成されたベースと、前記ベースに固定された乗客用座席と、前記少なくとも１つの構造パネルによって前記ベースより高い位置に支持された足乗せ台と、をさらに備えていてもよい。
【００２０】
他の態様では、前記３次元印刷成形品は、前記少なくとも１つの構造パネルの外面に適用された装飾成形品であってもよい。
【００２１】
本発明の実施例は、上記の特徴および構成のうちの１つもしくは複数、またはそれらの任意の組合せを含み得る。
【００２２】
本発明のさらなる特徴、態様および利点は、以下の詳細な説明で述べられ、部分的に、その説明から当業者にとって容易に明白となり、または本明細書に記載する本発明を実施することによって認識される。前述の概要および以下の詳細な説明の両方は、本発明の様々な実施例を提示し、特許請求される本発明の性質および特徴を理解するための概要または枠組みを提供することが意図されることを理解すべきである。添付図面は、本発明をさらに理解するために含まれ、本明細書に組み込まれ、その一部を構成する。
【００２３】
添付図面を参照しながら本発明の以下の詳細な説明を読むことにより、本発明の特徴、態様および利点が理解される。
【図面の簡単な説明】
【００２４】
【図１】本発明の実施例による座席囲いの斜視図である。
【図２】座席囲いによって画定されたスイート内に位置決めされた装備品を示す、図１の座席囲いの上面図である。
【図３】図２のＡ−Ａ線に沿って切り取られた座席囲いの壁の断面図である。
【図４】下地構造パネルおよび上地３Ｄ印刷装飾成形品を示す、図１の座席囲いの分解斜視図である。
【図５】高い位置にある足乗せ台を支持するための梁を示す、図１の座席囲みの別の斜視図である。
【図６】３Ｄ印刷装飾成形品の噛合せを示す詳細図である。
【図７】図６の噛み合っている３Ｄ印刷装飾成形品を別の角度から示す。
【発明を実施するための形態】
【００２５】
ここで、本発明の例示的実施例が示される添付図面を参照しながら、本発明についてより詳細に以下に説明する。しかしながら、本発明は、多様な形態で具体化されてもよく、本明細書に述べる代表的な実施例に限定されるものとして解釈されるべきでない。例示的実施例は、本開示が詳細で完全なものであり、かつ本発明の範囲を十分に伝え、当業者が本発明をなし、使用し、かつ実施することができるように提供される。
【００２６】
図１を参照すると、本発明の実施形態によって製造された座席囲いが、全体として参照符号２０で示される。本明細書で提供される製造方法は、座席囲いに特に言及して説明するが、本発明の製造方法は、仕切り、パネル、壁、ドア、装備品などを含むが、これらに限定されない他の内部装備品に適用されてもよいことが理解されるべきである。したがって、本明細書で使用する用語「座席囲い」は、構造部材および３Ｄ印刷部品の両方を含む少なくとも任意の壁構造を包含することが意図される。
【００２７】
座席囲い２０は一般に、単一の乗客用スイートの壁を形成するように配置された複数の構造パネル２２を含む。構造パネル２２は、隣接する通路または他の乗客用スイートからそのスイートにアクセスするために、構造パネル２２の長さに沿って離間するか、または中断されてもよい。図１に示す特定の座席囲み２０は、座席、足乗せ台、テーブルおよび他の装備品が位置決めされ得る乗客の生活空間を提供するように寸法付けされたほぼ細長い矩形形状を有する。スイートの形状および面積と同様に、壁の形状および高さは変わってもよく、限定を意図するものではない。
【００２８】
座席囲い２０の形状は、乗客用スイートの基本形状を決定する。示すように、座席囲いは、離間した前半部および後半部２４、２６から構成される。前半部２４は、調整可能な乗客用座席、例えばフルフラット可能座席を収容するためのくぼみを画定する。そのため、座席囲いの前半部２４における壁の高さは、着席した乗客にある程度のプライバシーを提供するために、後半部２６の高さより高い。着席した乗客が通路または隣接するスイートの方の外を見ることができるようにするための窓２８が、座席に隣接する壁のうちの１つを貫通して設けられてもよい。座席囲いの後半部２６は、足乗せ台、テーブルまたは他の装備品を収容するためのくぼみを画定する。前半部および後半部２４、２６は、スイートの入口を提供するために、少なくとも１側面に沿って離間している。前半部および後半部２４、２６はそれぞれ、単一の壁構造を含んでもよく、または代替実施形態において、共に取り付けるように構成された複数の壁セクションを含んでもよい。
【００２９】
前半部および後半部２４、２６のそれぞれは、下地構造パネル２２と適用された３Ｄ印刷装飾成形品と、の組合せから構成される。構造パネルは、ハニカムベース、または複数の構造プライ間に挟まれたコアパネルを含む多層構成（例えばサンドイッチパネル）を含むパネルを含んでもよいが、これらに限定されない。コアパネルは、パネルの厚さのかなりの部分を備えてもよく、アラミドコアパネル、ハニカムパネル、または軽量かつ難燃性であることが好ましい類似のパネルであり得る。構造プライまたは構造層を含むパネルにおいて、プライまたは層は、コアパネルに平行にかつコアパネルの上下に配置され、コアパネルと同一の広がりを有して延在してもよい。構造プライは、コアパネルの上下に任意の数のプライを含み得、パネル全体にわたる荷重の分布を最適化するために様々な向きに配置されてもよい。構造パネルは、下地コアまたは層状構成に接着剤で結合された仕上面を含んでもよい。
【００３０】
参照符号３０で示す第１の組の開口部が、３Ｄ印刷装飾成形品を構造パネル２２に取り付けるための締結具を受けるために設けられる。参照符号３２で示す第２の組の開口部が、足乗せ台、展開可能なテーブル３６、収納庫などの装備品を取り付けるために設けられる。以下に詳細に説明するように、第１の組の開口部３０は一般に、装飾キャップ成形品を座席囲い２０に取り付けるために前半部および後半部２４、２６の上縁部の近くに位置決めされる。第１の座席の開口部３０はまた、例えば、装飾成形品を底部の近く、また窓の周りに取り付けるために、座席囲いの底縁部の近くに、かつ窓を囲んで位置決めされてもよい。展開可能なテーブル３６は、中央周辺にその長さに沿って座席囲いの内壁に取り付いていてもよい。展開可能なテーブル３６は、使用のために水平に枢動し、使用と使用の間には壁に面一に収まってもよい。
【００３１】
図２を参照すると、上から見た時、乗客用座席３４および足乗せ台３５は、それぞれのくぼみにおけるスイートの両端部に位置決めされている。展開可能なテーブル３６は、乗客用座席３４の側面に収まり、座席の前方の水平使用位置に展開する。乗客用座席３４は、フルフラット可能座席であってもよい。座席が直立着座位置または倒した着座位置である場合、足乗せ台３５は乗客用座席３４から離間している。乗客用座席３４が水平就寝位置にある場合、離間した足乗せ台３５は、座席と足乗せ台とが共にフラットな水平ベッドでスイートの全体を実質的に満たすように、水平ベッドの一部を形成してもよい。したがって、足乗せ台３５は、床から高い位置にあることが好ましく、足乗せ台の下に収納スペースが設けられてもよい。構造パネル２２、乗客用座席３４および足乗せ台３５は、航空機内に迅速に設置するように構成された予めパッケージ化された乗客用スイートを提供するために、航空機の床に取り付けるように構成されたベース４８上に支持されてもよい。示していないが、スイートは、収納庫、ビデオモニタなどの他の装備品を含んでもよい。スイートの開口部は、スイートを閉鎖するために開位置と閉位置との間を移動または摺動するように構成されたドアを任意選択で含んでもよい。
【００３２】
図３を参照すると、座席囲い２０の一部の断面図が、下地構造パネル２２および上地３Ｄ印刷部品３８を示す。３Ｄ印刷部品は任意の部品タイプを含み得るが、図３に示す特定の３Ｄ印刷部品３８は、下地構造パネル２２の上縁部の上に、かつそれに沿って適用された装飾キャップ成形品である。３Ｄ印刷部品３８は、構造パネル２２の上部を覆い、パネルの面のうちの少なくとも１つの長さに沿って少なくとも途中まで延在する。壁の面に適用される装飾シート、コーティングまたは仕上面を挿入／保持するための間隙３９を設けるために、３Ｄ印刷部品３８の一部がパネル２２の面から離間してもよい。
【００３３】
図４を参照すると、完成した座席囲い２０が、下地構造パネル２２に適用された個々の３Ｄ印刷部品を含む。例えば、窓２８は、開口部を仕上げる３Ｄ印刷部品４０で枠付けされてもよい。スイートの入口は、保護／装飾３Ｄ印刷枠４２で枠付けされてもよく、構造パネル２２の上縁部には、装飾成形品４４などが被せられてもよい。３Ｄ印刷部品は、スイートに特定の外観またはカスタマイズを付与するために、装飾成形品と同様に構造片を含んでもよい。３Ｄ印刷部品は、締結具および第１の組の開口部３０を使用して取り付けられてもよく、または下地パネルに接着されるか、もしくはその他の方法で結合されてもよい。
【００３４】
図５を参照すると、足乗せ台３５を高い位置で支持するための支持梁４６が、座席囲い２０の構造パネル２２の内側に沿って設けられてもよく、それによって、足乗せ台の垂直方向下方に収納庫または足元の空間が提供される。座席囲い２０は、航空機の床へ直接取り付けてもよく、または床に取り付けるように構成されるベース４８に取り付けてもよい。図５に示すようなベース４８を含むスイート実施形態では、本質的に、完成したスイートが装備品を含んで、または除いて予め製造され、次いで航空機内に位置決めされてもよい。構造パネル２２は、Ｌ字形ブラケット５０、または、成形品、敷物類、もしくは装備品の下の見えないようにした他の締結具を使用して、ベース４８に取り付けてもよい。
【００３５】
３Ｄ印刷パネルは、構造パネル２２上に装飾キャップ、装飾品または成形品として取り付けることができる。図６および図７に示すように、２つの３Ｄ部品／パネルは共に、例えば垂直壁交差部、または曲線部と直線部分との間の移行部で係止してもよい。１つの３Ｄ印刷成形品４４の一部は、別の３Ｄ印刷成形品４４の一部に重なってもよく、重なる時に、部品それぞれを貫通する穴部５２は、単一の締結具が両方の穴部を通り抜け、また任意選択で下地構造パネルの穴部を通り抜けることができるように整列してもよい。締結具は、部品を共に係止し、それらを下地構造パネルに固定してもよい。
【００３６】
本発明について、特定の実施形態および例を参照して上に説明してきたが、本発明の様々な詳細は、本発明の範囲から逸脱することなく変更され得ることが意図される。さらに、本発明の好ましい実施形態および本発明を実施するための最良の形態における先の説明は、例示のみの目的で提供され、限定する目的で提供されていない。
【図１】
2016539849.tif 000003
【図２】
2016539849.tif 000004
【図３】
2016539849.tif 000005
【図４】
2016539849.tif 000006
【図５】
2016539849.tif 000007
【図６−７】
2016539849.tif 000008
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
乗客用スイートを画定する航空機乗客用座席囲いであって、
前記座席囲いの壁を形成する少なくとも１つの構造パネルと、
前記少なくとも１つの構造パネルに取り付けられた３次元印刷成形品と、
を備える、航空機乗客用座席囲い。
【請求項２】
前記少なくとも１つの構造パネルは、離間した前部構造パネルおよび後部構造パネルを備え、
前記前部構造パネルは、乗客用座席を収容するためのくぼみを画定し、
前記後部構造パネルは、高い位置の足乗せ台を収容するためのくぼみを画定する、請求項１に記載の航空機乗客用座席囲い。
【請求項３】
前記前部構造パネルは窓を備え、
前記３次元印刷成形品は前記窓を枠付けする、請求項２に記載の航空機乗客用座席囲い。
【請求項４】
前記３次元印刷成形品は、ドア枠であり、
離間した前記前部構造パネルと前記後部構造パネルとの間に画定された前記乗客用スイートの入口は、前記ドア枠で枠付けされている、請求項２に記載の航空機乗客用座席囲い。
【請求項５】
前記３次元印刷成形品は、
前記前部構造パネルおよび前記後部構造パネルの上縁部に沿って取り付けられたキャッピングであり、
前記３次元印刷成形品の隣接するセクションが重なり、
前記隣接するセクションを共に取り付けるための締結具を受けるための、前記３次元印刷成形品を貫通する開口部を含む、請求項２に記載の航空機乗客用座席囲い。
【請求項６】
前記３次元印刷成形品は、前記少なくとも１つの構造パネルの上縁部に被さる、請求項１から５のいずれか一項に記載の航空機乗客用座席囲い。
【請求項７】
前記少なくとも１つの構造パネルは、航空機の床に取り付けるように構成されたベースに固定される、請求項１から６のいずれか一項に記載の航空機乗客用スイート囲い。
【請求項８】
前記少なくとも１つの構造パネルに適用される仕上面を挿入および保持するための間隙が、前記３次元印刷成形品の一部と、下地の前記少なくとも１つの構造パネルと、の間に設けられる、請求項１から７のいずれか一項に記載の航空機乗客用座席囲い。
【請求項９】
前記航空機乗客用座席囲いは、前記少なくとも１つの構造パネルの面に固定された少なくとも１つの支持梁をさらに備える、請求項１から８のいずれか一項に記載の航空機乗客用座席囲い。
【請求項１０】
前記航空機乗客用座席囲いは、
前記少なくとも１つの構造パネルが取り付けられ、航空機の床に取り付けるように構成されたベースと、
前記ベースに固定された乗客用座席と、
前記少なくとも１つの構造パネルによって前記ベースより高い位置に支持された足乗せ台と、をさらに備える、請求項１から９のいずれか一項に記載の航空機乗客用座席囲い。
【請求項１１】
前記３次元印刷成形品は、前記少なくとも１つの構造パネルの外面に適用された装飾成形品である、請求項１から１０のいずれか一項に記載の航空機乗客用座席囲い。
【国際調査報告】
2016539849.tif 000009